Podtech/llm-jp-corpus-v4-ja_patent huggingface dataset:
【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  所定の転送プロトコルに応じて動作する駆動手段に配されたリムーバブルな記録媒体及び当該記録媒体に備えられた補助記憶手段に対する書き込み／読み出し情報を転送する際の情報転送方法において、
上記駆動手段に対して、上記補助記憶手段から情報の読み出し及び転送を行わせる情報転送命令コマンドを発行し、
上記情報転送命令コマンドの応答データより、上記情報記憶手段から読み出された情報を所定数のデータとして取り出し、
上記取り出したデータから得られる上記補助記憶手段の空き容量情報の選択を行う
ことを特徴とする情報転送方法。
【請求項２】  上記補助記憶手段の空き容量情報の選択処理で得た情報に基づいて第２の所定数のデータを作成し、
上記駆動手段に対して、上記補助記憶手段への情報の書き込みを行わせる情報書込命令コマンドを発行し、
上記第２の所定数のデータを上記補助記憶手段へ書き込むことを特徴とする請求項１記載の情報転送方法。
【請求項３】  上記駆動手段と外部装置との間でデータの転送を行っている時には、上記データ転送の経路を切り替えた後に、上記情報転送命令コマンドを発行することを特徴とする請求項１記載の情報転送方法。
【請求項４】  上記所定の転送プロトコルはＡＴＡＰＩプロトコルであり、
上記リムーバブルな記憶媒体は、ＡＴＡＰＩアイデンティファイデバイスコマンドの応答データとして記載されるデバイス情報のうちのストレージメディアに対応し、上記記録媒体に備えられた補助記憶手段の空き容量情報の選択処理としてはログセンスコマンドの応答データ取得処理に基づいてログセレクトコマンドにより有効設定処理することを特徴とする請求項１記載の情報転送方法。
【請求項５】  所定の転送プロトコルに応じて動作する駆動手段に配されたリムーバブルな記録媒体及び当該記録媒体に備えられた補助記憶手段に対する書き込み／読み出し情報を転送する情報転送装置において、
上記所定の転送プロトコルに基づいたコマンドを発行することによって上記駆動手段の動作を制御する制御手段を有し、
当該制御手段は、上記駆動手段に対して、上記補助記憶手段から情報の読み出し及び転送を行わせる情報転送命令コマンドを発行し、上記情報転送命令コマンドの応答データより上記情報記憶手段から読み出された情報を所定数のデータとして取り出し、上記取り出したデータから得られる上記補助記憶手段の空き容量情報の選択を行う
ことを特徴とする情報転送装置。
【請求項６】  上記制御手段は、上記補助記憶手段の空き容量情報の選択処理で得た情報に基づいて第２の所定数のデータを作成し、上記駆動手段に対して、上記補助記憶手段への情報の書き込みを行わせる情報書込命令コマンドを発行し、上記第２の所定数のデータを上記補助記憶手段へ書き込むことを特徴とする請求項５記載の情報転送装置。
【請求項７】  上記制御手段は、上記駆動手段と外部装置との間でデータの転送を行っていた時には、上記駆動手段と自己とを結ぶ経路を設定した後に、上記情報転送命令コマンドを発行することを特徴とする請求項５記載の情報転送装置。
【請求項８】  上記駆動手段と外部装置との間のデータ転送経路と上記駆動手段と制御手段との間の経路を上記制御手段からの制御に応じて切り替え可能な切替手段を少なくとも有するデータ転送コントロール手段を設け、
上記制御手段は、上記駆動手段と外部装置との間のデータ転送経路側に切り替えられていた時には、上記切替手段を制御して上記経路を上記駆動手段と自己とを結ぶ経路側に切り替え設定し、上記経路の設定後に上記情報転送命令コマンドを発行することを特徴とする請求項７記載の情報転送装置。
【請求項９】  上記所定の転送プロトコルはＡＴＡＰＩプロトコルであり、
上記リムーバブルな記憶媒体は、ＡＴＡＰＩアイデンティファイデバイスコマンドの応答データとして記載されるデバイス情報のうちのストレージメディアに対応し、上記記録媒体に備えられた補助記憶手段としてはカートリッジ付属の不揮発メモリ手段（ＭＩＣ）とし、上記記録媒体に備えられた上記補助記憶手段の空き容量情報の選択手段としては、ログセンスコマンドに対応して取得する応答データに基づきログセレクトコマンドによる設定手段で選択設定することを特徴とする請求項５記載の情報転送装置。
【手続補正２】
【補正対象書類名】明細書
【補正対象項目名】００１０
【補正方法】変更
【補正の内容】
【００１０】
そこで、本発明はこのような状況に鑑みてなされたものであり、リムーバブルな記録媒体に備えられた補助記憶手段（例えばＭＩＣ）に記憶される情報を、ＡＴＡＰＩプロトコルにより転送可能とし、さらに、ＭＩＣの空き容量も知ることが可能な情報転送方法及び装置を提供することを目的とする。
【手続補正３】
【補正対象書類名】明細書
【補正対象項目名】００１１
【補正方法】変更
【補正の内容】
【００１１】
【課題を解決するための手段】
本発明の情報転送方法は、所定の転送プロトコルに応じて動作する駆動手段に配されたリムーバブルな記録媒体及び当該記録媒体に備えられた補助記憶手段に対する書き込み／読み出し情報を転送する際の情報転送方法において、上記駆動手段に対して、上記補助記憶手段から情報の読み出し及び転送を行わせる情報転送命令コマンドを発行し、上記情報転送命令コマンドの応答データより、上記情報記憶手段から読み出された情報を所定数のデータとして取り出し、上記取り出したデータから得られる上記補助記憶手段の空き容量情報の選択を行うことにより、上述した課題を解決する。
【手続補正４】
【補正対象書類名】明細書
【補正対象項目名】００１２
【補正方法】変更
【補正の内容】
【００１２】
また、本発明の情報転送装置は、所定の転送プロトコルに応じて動作する駆動手段に配されたリムーバブルな記録媒体及び当該記録媒体に備えられた補助記憶手段に対する書き込み／読み出し情報を転送する情報転送装置において、上記所定の転送プロトコルに基づいたコマンドを発行することによって上記駆動手段の動作を制御する制御手段を有し、当該制御手段は、上記駆動手段に対して、上記補助記憶手段から情報の読み出し及び転送を行わせる情報転送命令コマンドを発行し、上記情報転送命令コマンドの応答データより上記情報記憶手段から読み出された情報を所定数のデータとして取り出し、上記取り出したデータから得られる上記補助記憶手段の空き容量情報の選択を行うことにより、上述した課題を解決する。
【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】記録／再生装置
【手続補正２】
【補正対象書類名】明細書
【補正対象項目名】特許請求の範囲
【補正方法】変更
【補正の内容】
【特許請求の範囲】
【請求項１】  装置が落下したことを検知する落下検知手段と、
記録媒体に記録／再生を行う記録／再生手段と
上記落下検知手段の出力から上記装置が落下すると判断された場合に、上記記録／再生手段が正常か異常かを判断する異常判断手段と、
上記異常判断手段の出力から、上記記録／再生手段に異常があると判断された場合に、異常を告知する告知手段と
を備えるようにした記録／再生装置。
【請求項２】  上記落下検出手段は、加速度センサである請求項１に記載の記録／再生装置。
【請求項３】  上記異常判断手段は、上記記録／再生手段のサーボ制御が正常に動作しているか否かを検出して上記記録／再生手段が正常か異常かを判断するようにした請求項１に記載の記録／再生装置。
【請求項４】  上記異常判断手段は、上記記録媒体の所定の領域にテスト用のパターンを書き込み、上記所定の領域からパターンを再生し、上記所定の領域に記録したパターンと上記所定の領域から再生されたパターンとを照合して上記記録／再生手段が正常か異常かを判断するようにした請求項１に記載の記録／再生装置。
【手続補正３】
【補正対象書類名】明細書
【補正対象項目名】０００１
【補正方法】変更
【補正の内容】
【０００１】
【発明の属する技術分野】
この発明は、特に、文書や画像をイメージデータとして取り込んで記録再生するのに用いて好適な記録／再生装置に関する。
【手続補正４】
【補正対象書類名】明細書
【補正対象項目名】００１２
【補正方法】変更
【補正の内容】
【００１２】
したがって、この発明の目的は、装置が落下して光学ピックアップや磁気ヘッドに異常が生じた場合にも、データの保護が図れる記録／再生装置を提供することにある。
【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】  
二次元方向に拡がりを有するＸ線を被検体に照射するＸ線源と、
このＸ線源と対向配置され、前記被検体の体軸の直交方向に複数チャンネルの検出素子が配置される１列の検出器がさらに前記被検体の体軸方向に複数列に配列され、それぞれの列が前記被検体の透過Ｘ線を投影データとして検出するマルチスライスＸ線検出器と、
前記Ｘ線源と前記マルチスライスＸ線検出器を前記被検体の周囲に回転させるスキャナ部と、
このスキャナ部によって回転された前記マルチスライスＸ線検出器により検出された複数の角度方向からの投影データを用いて前記被検体の断層像を再構成する再構成手段と、
この再構成手段によって再構成された被検体の断層像を表示する表示手段と、
前記Ｘ線源と前記被検体との間に配置され前記Ｘ線源により照射されるＸ線のうちの前記被検体の透過Ｘ線が前記マルチスライスＸ線検出器の所望の列に照射できるように、その所望の列に照射するＸ線以外のＸ線を遮蔽するために移動可能なコリメータと、を備えたＸ線ＣＴ装置において、
前記マルチスライスＸ線検出器の列のうち前記コリメータによって遮蔽する少なくとも一つの列を設定する設定手段と、
前記設定列以外の前記マルチスライスＸ線検出器の列に対応する前記被検体の投影データを用いて前記被検体の断層像を再構成し、その再構成された前記被検体の断層像が表示されるように、前記コリメータ、前記スキャナ部、前記再構成手段及び前記表示手段を制御する制御手段と、を備えたことを特徴とするＸ線ＣＴ装置。
【請求項２】
前記制御手段は、前記表示手段に表示された前記被検体の断層像の更新に基づいて前記コリメータ、前記スキャナ部及び前記再構成手段を制御することを特徴とする請求項１に記載のＸ線ＣＴ装置。
【請求項３】
前記制御手段は、前記被検体に穿刺される穿刺針が前記表示手段に表示される前記被検体の断層像に常に含まれるように、前記再構成手段により得られる異なる列での断層像を切替制御することを特徴とする請求項１に記載のＸ線ＣＴ装置。
【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】
被検者の生体内から発せられる生体磁場を複数の位置で計測してその処理結果としての磁場図を表示する生体磁場計測装置において、
計測を含む処理機能項目を示すメニューバー部を備えた処理機能表示部と、計測時間を設定するための計測時間設定表示を含む操作領域表示部と、設定された計測時間において計測されたデータを表示する解析データ表示部とを有し、かつ、同一画面に処理機能表示，操作領域表示および設定された計測時間において計測されたデータを示す解析データ表示を行い、
前記メニューバー部は、データ計測と、該データ計測に基づくデータ解析とについての第１の操作メニューおよびデータ計測と、該データ計測に基づくデータ解析と、装置（システム）調整とについての第２の操作メニューを有し、これらの操作メニューの切替えを行う切替手段を備えた
ことを特徴とする生体磁場計測装置。
【請求項２】
請求項１において、
前記第１または第２の操作メニューは、計測モニタ画面を開く、計測準備、デジタルフィルタ設定およびヒートフラッシュからなるデータ計測項目を有することを特徴とする生体磁場計測装置。
【請求項３】
請求項１において、
前記第１または第２の操作メニューは、アベレージング，単一波形表示，重ね波形表示，グリッドマップ表示，等磁線図，時間積分図，伝播時間図からなるグループ内の一つ以上のデータ解析項目を有することを特徴とする生体磁場計測装置。
【請求項４】
請求項１において、
前記メニューバー部は被検者選択部を備えるとともに、前記処理機能表示部と前記操作領域表示部と前記解析データ表示部が表示される同一画面上に被検者情報部を備え、
該被検者選択が選択されると、前記解析データ表示部に被検者リストを表示し、
該被検者リストは、そのデータ項目を表す行に、被検者ＩＤ番号、氏名、登録年月日、計測日、生年月日、科名の項目名と、該項目名夫々の横に並べ替えボタンが設けられ、
該並べ替えボタンがマウスでクリックされると、選択された項目について被検者情報をソーティングし、これによって被検者データを先頭からあるいは後方から順次検索するようにした
ことを特徴とする生体磁場計測装置。
【請求項５】
請求項１において、
前記メニューバー部はデータ計測部を備えるとともに、前記処理機能表示部と前記期操作領域表示部と前記解析データ表示部が表示される同一画面上に被検者情報部を備え、
前記データ計測部が選択されると、前記解析データ表示部に計測モニタを表示し、
前記被検者情報部に第１の詳細非表示ボタンおよび前記操作領域表示部に第２の詳細非表示ボタンを設け、該第１の詳細非表示ボタンが押されることによって被検者の詳細情報を隠し、かつ該第２の詳細非表示ボタンが押されることによって、時間波形の表示スケールやＡＦＡパラメータの設定条件などの操作情報を隠す
ことを特徴とする生体磁場計測装置。
【請求項６】
請求項５において、
前記第１，第２の詳細非表示ボタンのいずれかが押されると、詳細表示ボタンの表示に切り替ることを特徴とする生体磁場計測装置。
【請求項７】
請求項５において、
前記被検者情報部での前記第１の詳細非表示ボタンおよび前記操作領域表示部での前記第２の詳細非表示ボタンの表示状態は、前回計測モニタを実行したときの状態を保存し、次に計測モニタが起動された時に保存されていた前回の状態を復元するものである
ことを特徴とする生体磁場計測装置。
【手続補正２】
【補正対象書類名】明細書
【補正対象項目名】０００５
【補正方法】変更
【補正の内容】
【０００５】
【課題を解決するための手段】
上記目的を達成するために、本発明は、被検者の生体内から発せられる生体磁場を複数の位置で計測してその処理結果としての磁場図を表示する生体磁場計測装置において、計測を含む処理機能項目を示すメニューバー部を備えた処理機能表示部と、計測時間を設定するための計測時間設定表示を含む操作領域表示部と、設定された計測時間において計測されたデータを表示する解析データ表示部とを有し、かつ、同一画面に処理機能表示，操作領域表示および設定された計測時間において計測されたデータを示す解析データ表示を行い、前記メニューバー部は、データ計測と、該データ計測に基づくデータ解析とについての第１の操作メニューおよびデータ計測と、該データ計測に基づくデータ解析と、装置（システム）調整とについての第２の操作メニューを有し、これらの操作メニューの切替えを行う切替手段を備える。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正書】
【提出日】平成18年4月25日(2006.4.25)
【手続補正１】
【補正対象書類名】明細書
【補正対象項目名】発明の名称
【補正方法】変更
【補正の内容】
【発明の名称】温度計測方法及び磁気共鳴イメージング装置
【手続補正２】
【補正対象書類名】明細書
【補正対象項目名】特許請求の範囲
【補正方法】変更
【補正の内容】
【特許請求の範囲】
【請求項１】
被検体からの核磁気共鳴信号を計測して画像を作成し表示する磁気共鳴イメージング装置を用いて、被検体の温度を計測する方法であって、
（１）エコー時間を異ならせて取得された第１のエコー信号と第２のエコー信号とから、第１の画像を作製するステップと、
（２）前記第１の画像と基準温度を反映した参照画像とから、第２の画像を作成するステップと、
（３）前記第２の画像から位相分布を作成するステップと、
（４）位相分布に対して位相アンラップ処理を行うステップと、
（５）位相アンラップ処理後の位相分布に基づき、被検体の温度分布を取得するステップと、
を含むことを特徴とする温度計測方法。
【請求項２】
請求項１記載の温度計測方法において、
取得時刻の異なるエコー信号を用いて、前記（１）〜（５）のステップを繰り返して、前記被検体の温度分布を時系列に取得することを特徴とする温度計測方法。
【請求項３】
所定の空間に静磁場を発生する手段と、前記空間に傾斜磁場と高周波磁場を印加する磁場発生手段と、前記空間に配置された被検体からのエコー信号を受信する受信手段と、前記エコー信号を用いて前記被検体の画像を再構成する信号処理手段と、所定のパルスシーケンスに基づいて前記磁場発生手段と前記受信手段と前記信号処理手段とを制御する制御手段と、を有する磁気共鳴イメージング装置において、
前記パルスシーケンスは、エコー時間の異なる第１のエコー信号と第２のエコー信号とを連続して計測するものであり、
前記信号処理手段は、前記第１のエコー信号に基づく画像と、前記第２のエコー信号に基づく画像と、基準温度を反映した参照画像と、から前記被検体の温度分布を表す画像を取得することを特徴とする磁気共鳴イメージング装置。
【手続補正３】
【補正対象書類名】明細書
【補正対象項目名】００２２
【補正方法】変更
【補正の内容】
【００２２】
【課題を解決するための手段】
上記目的を達成するため、本発明のMRI装置を用いた温度計測方法は、エコー時間を異ならせて取得された第１のエコー信号と第２のエコー信号とから、第１の画像を作製するステップと、前記第１の画像と基準温度を反映した参照画像とから、第２の画像を作成するステップと、前記第２の画像から位相分布を作成するステップと、位相分布に対して位相アンラップ処理を行うステップと、位相アンラップ処理後の位相分布に基づき、被検体の温度分布を取得するステップと、を含むことを特徴とする。
本発明の温度計測方法の好ましい一実施形態としては、（１）被検体の温度分布情報を含み、同一の核磁気励起タイミングにて異なるエコー時間を有する複数のMR画像を取得するマルチエコー撮影を連続的に繰り返す時系列マルチエコー撮影を行うステップと、
（２）ステップ（１）で得られるマルチエコー複素MR画像のうち、各時相毎に、第１のエコー時間TE1のMR信号から計算された複素MR画像と、第２のエコー時間TE2のMR信号から計算された複素MR画像とから、各時相の第１の複素演算MR画像を作成するステップと、
（３）各時相の第１の複素演算MR画像と、基準温度を反映した参照複素演算MR画像とから、各時相の第２の複素演算MR画像を作成するステップと、（４）各時相の第２の複素演算MR画像のアークタンジェントを計算し、位相分布を作成するステップと、（５）ステップ（４）で求めた各時相の位相分布に対して、３次元もしくは２次元の位相アンラップ処理を行うステップと、（６）各時相の位相アンラップ処理後の位相分布に基づき、各時相の３次元もしくは２次元の被検体の温度分布を計算するステップ、とを具備する。
また、上記目的を達成するため、本発明のMRI装置は、所定の空間に静磁場を発生する手段と、前記空間に傾斜磁場と高周波磁場を印加する磁場発生手段と、前記空間に配置された被検体からのエコー信号を受信する受信手段と、前記エコー信号を用いて前記被検体の画像を再構成する信号処理手段と、所定のパルスシーケンスに基づいて前記磁場発生手段と前記受信手段と前記信号処理手段とを制御する制御手段と、を有し、前記パルスシーケンスは、エコー時間の異なる第１のエコー信号と第２のエコー信号とを連続して計測するものであり、前記信号処理手段は、前記第１のエコー信号に基づく画像と、前記第２のエコー信号に基づく画像と、基準温度を反映した参照画像と、から前記被検体の温度分布を表す画像を取得することを特徴とする。
【手続補正書】
【提出日】平成18年2月20日(2006.2.20)
【手続補正１】
【補正対象書類名】明細書
【補正対象項目名】請求項２
【補正方法】変更
【補正の内容】
【請求項２】
保持筒２と、保持筒２先端に嵌合した充填型４８の充填部６０内に、保持筒２後方から加熱溶融した化粧料を充填する充填する充填工程と、該充填した化粧料を冷却固形化する冷却工程と、バキュウムパイプ６３より挿入部８内の空気を吸引し、充填型４８を膨張させる吸引工程と、該充填型４８より棒状化粧料１を抜き取る工程とからなる棒状化粧料の成形方法。
【手続補正２】
【補正対象書類名】明細書
【補正対象項目名】０００５
【補正方法】変更
【補正の内容】
【０００５】
【課題を解決するための手段】
柔らかく、割れにくい材料より成形され、棒状化粧料１を保持する保持筒２の先端外周に嵌合する嵌合部３０と、該嵌合部３０に連設され、保持筒２の先端方向に突出して先端が閉じた筒状をした充填部６０と、前記嵌合部３０の反充填部６０がわに設けられ、下端外周に鍔部２６を周設した密閉部６１とよりなる充填型４８と、該充填型４８が挿入される挿入部８が設けられたコップ形状をしており、開口縁部には、前記充填型４８の密閉部６１の鍔部２６が当接して挿入部８内を密閉する当接部１２が設けられ、該挿入部８内の空気を吸引するバキュームパイプ６３が接続された取り外し治具６２とよりなる棒状化粧料の成形装置であり、保持筒２と、保持筒２上端に嵌合した充填型４８の充填部６０内に、保持筒２後方から加熱溶融した化粧料を充填し、該充填した化粧料を冷却固形化した後、バキュームパイプ６３より挿入部８内の空気を吸引し、充填型４８を膨張させ、該充填型４８より棒状化粧料１を抜き取る棒状化粧料の成形装置およびその成形方法。  
【手続補正３】
【補正対象書類名】明細書
【補正対象項目名】０００９
【補正方法】変更
【補正の内容】
【０００９】
この充填型４８は、ポリプロピレン（Ｐ．Ｐ．）、軟質ポリエチレン、エラストマー樹脂、若しくはゴム系の材料の柔らかく、割れにくい材料より成形されている。そして、この充填型４８には、前記保持筒２の先端外周に嵌合する嵌合部３０が設けられている。また、嵌合部３０には、充填部６０が連設されている。この充填部６０は、保持筒２の先端方向に突出して先端が閉じた筒状をしており、内部は、化粧料を充填して冷却固形化させた際、棒状化粧料１となるよう所定形状に成形されている。その結果、化粧料は保持筒２後方から、充填型４８の充填部６０および保持筒２内に充填されるようになっている。また、嵌合部３０で充填部６０の反対がわには密閉部６１が垂下している。この密閉部６１は、嵌合部３０よりも大径になっており、後部外周に鍔部２６が周設されている。
【手続補正４】
【補正対象書類名】明細書
【補正対象項目名】００１２
【補正方法】変更
【補正の内容】
【００１２】
次に本発明実施例の成形装置の成形方法について説明する。保持筒２の先端に充填型４８を嵌合させた状態で、保持筒２の後方より、容器４２内の保持筒２の場合には容器４２の挿入穴２８を通して、加熱溶融した化粧料を充填する（充填工程）。この化粧料を冷却固形化させて棒状化粧料１を成形する（冷却工程）。化粧料が固形化した後、取り外し治具６２が別個に設けられている場合には充填型４８を取り外し治具６２内に挿入する。そして充填型４８の密閉部６１の鍔部２６を当接部１２に当接させ、密着させる。この状態でバキュームパイプ６３より取り外し治具６２内の空気を吸引し、充填型４８の充填部６０外部、つまり充填部６０と挿入部８の間を負圧にする（吸引工程）。そして、充填型４８がポリプロピレン（Ｐ・Ｐ・）、軟質ポリエチレン、エラストマー樹脂、若しくはゴム系の材料等の柔らかく、割れにくい材料より成形されているため、気圧の差により充填型４８が膨張する。その結果、固形化した棒状化粧料１と充填型４８の間には隙間が生じ、何の抵抗もなく、充填型４８より棒状化粧料１を抜き取る事ができる。（抜き取り工程）。この時、バキュームパイプ６３より空気を逆流させる機能を設けておけば、充填型４８取り外し後に、バキュームパイプ６３より空気を逆流させ、取り外し治具６２内を加圧すれば、取り外し治具６２より充填型４８を簡単に取り外す事ができる。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  画像を生成するためのゲーム装置であって、
オブジェクト空間内で移動体を移動させるための演算を行う手段と、
任意の形状に設定可能な２次元のシェーディング演算変更領域をオブジェクト空間内のマップに設定しておき、前記移動体が位置するシェーディング演算変更領域に応じて、前記移動体に施すシェーディング演算を変更するための手段と、
オブジェクト空間内の所与の視点での画像を生成するための手段と、
を含むことを特徴とするゲーム装置。
【請求項２】  請求項１において、
オブジェクト空間内のコース上に設定されたコースブロックの中から前記移動体が位置するコースブロックが検索され、検索されたコースブロックに関連づけて登録されたシェーディング演算変更領域が検索されることを特徴とするゲーム装置。
【請求項３】  請求項１又は２において、
前記シェーディング演算変更領域に設定されるシェーディング演算パラメータに基づいて、前記移動体のシェーディング演算に使用されるシェーディング演算パラメータが求められ、求められたシェーディング演算パラメータに基づいて前記移動体に対するシェーディング演算が行われることを特徴とするゲーム装置。
【請求項４】  請求項３において、
前記移動体のシェーディング演算に使用されるシェーディング演算パラメータが、前記シェーディング演算変更領域に設定されるシェーディング演算パラメータと前記シェーディング演算変更領域内での前記移動体のローカル座標とに基づいて求められることを特徴とするゲーム装置。
【請求項５】  請求項１乃至４のいずれかにおいて、
前記シェーディング演算変更領域に設定されるシェーディング演算パラメータが、輝度、光源ベクトル、光源の位置、光源の種類、光源の強さ及び環境光のパラメータの少なくとも１つを含むことを特徴とするゲーム装置。
【請求項６】  請求項１乃至５のいずれかにおいて、
前記シェーディング演算変更領域が、オブジェクト空間内の３次元オブジェクトの陰となるべき領域に設定されていることを特徴とするゲーム装置。
【請求項７】  請求項１乃至６のいずれかにおいて、
前記シェーディング演算変更領域のデータが、マップデータに含まれるＸ、Ｚ座標データに基づいて求められるＸ、Ｚ座標データと、シェーディング演算パラメータとを含むことを特徴とするゲーム装置。
【請求項８】  請求項７において、
前記シェーディング演算変更領域のデータのＹ座標データの部分に、前記シェーディング演算パラメータが代入されていることを特徴とするゲーム装置。
【請求項９】  画像データを作成するための画像データ作成ツールであって、
マップデータを作成するための手段と、
シェーディング演算変更領域のデータを作成するための手段と、
作成されたマップデータに含まれるＸ、Ｙ、Ｚ座標データに基づいて、マップの確認画面を表示するための手段と、
作成されたシェーディング演算変更領域のデータに含まれるＸ、Ｙ、Ｚ座標データに基づいて、シェーディング演算変更領域の確認画面を表示するための手段とを含み、
前記シェーディング演算変更領域のデータのＹ座標データの部分に、シェーディング演算パラメータが代入されると共に、シェーディング演算変更領域のデータのＸ、Ｚ座標データと前記シェーディング演算パラメータとに基づいて、シェーディング演算変更領域の確認画面が３次元的に表示されることを特徴とする画像データ作成ツール。
【請求項１０】  画像を生成するための情報記憶媒体であって、
オブジェクト空間内で移動体を移動させるための演算を行う手段と、
任意の形状に設定可能な２次元のシェーディング演算変更領域をオブジェクト空間内のマップに設定しておき、前記移動体が位置するシェーディング演算変更領域に応じて、前記移動体に施すシェーディング演算を変更するための手段と、
オブジェクト空間内の所与の視点での画像を生成するための手段としてコンピュータを機能させるためのプログラムを記憶することを特徴とする情報記憶媒体。
【請求項１１】  請求項１０において、
オブジェクト空間内のコース上に設定されたコースブロックの中から前記移動体が位置するコースブロックが検索され、検索されたコースブロックに関連づけて登録されたシェーディング演算変更領域が検索されることを特徴とする情報記憶媒体。
【請求項１２】  請求項１０又は１１において、
前記シェーディング演算変更領域に設定されるシェーディング演算パラメータに基づいて、前記移動体のシェーディング演算に使用されるシェーディング演算パラメータが求められ、求められたシェーディング演算パラメータに基づいて前記移動体に対するシェーディング演算が行われることを特徴とする情報記憶媒体。
【請求項１３】  請求項１２において、
前記移動体のシェーディング演算に使用されるシェーディング演算パラメータが、前記シェーディング演算変更領域に設定されるシェーディング演算パラメータと前記シェーディング演算変更領域内での前記移動体のローカル座標とに基づいて求められることを特徴とする情報記憶媒体。
【請求項１４】  請求項１０乃至１３のいずれかにおいて、
前記シェーディング演算変更領域に設定されるシェーディング演算パラメータが、輝度、光源ベクトル、光源の位置、光源の種類、光源の強さ及び環境光のパラメータの少なくとも１つを含むことを特徴とする情報記憶媒体。
【請求項１５】  請求項１０乃至１４のいずれかにおいて、
前記シェーディング演算変更領域が、オブジェクト空間内の３次元オブジェクトの陰となるべき領域に設定されていることを特徴とする情報記憶媒体。
【請求項１６】  請求項１０乃至１５のいずれかにおいて、
前記シェーディング演算変更領域のデータが、マップデータに含まれるＸ、Ｚ座標データに基づいて求められるＸ、Ｚ座標データと、シェーディング演算パラメータとを含むことを特徴とする情報記憶媒体。
【請求項１７】  請求項１６において、
前記シェーディング演算変更領域のデータのＹ座標データの部分に、前記シェーディング演算パラメータが代入されていることを特徴とする情報記憶媒体。
【請求項１８】  画像データを作成するための画像データ作成ツールに使用される情報記憶媒体であって、
マップデータを作成するための手段と、
シェーディング演算変更領域のデータを作成するための手段と、
作成されたマップデータに含まれるＸ、Ｙ、Ｚ座標データに基づいて、マップの確認画面を表示するための手段と、
作成されたシェーディング演算変更領域のデータに含まれるＸ、Ｙ、Ｚ座標データに基づいて、シェーディング演算変更領域の確認画面を表示するための手段としてコンピュータを機能させるためのプログラムを含み、
前記シェーディング演算変更領域のデータのＹ座標データの部分に、シェーディング演算パラメータが代入されると共に、シェーディング演算変更領域のデータのＸ、Ｚ座標データと前記シェーディング演算パラメータとに基づいて、シェーディング演算変更領域の確認画面が３次元的に表示されることを特徴とする情報記憶媒体。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  クイズゲームを行うためのゲームシステムにおいて、
プレーヤに出題した問題に関する出題情報をプレーヤ側の情報記憶媒体に記憶させる手段と、
前記プレーヤ側の情報記憶媒体に記憶された前記出題情報を読み込む手段と、
読み込んだ前記出題情報に基づいて特定される問題と同一の問題を繰り返し出題することを禁止する手段と、
を有することを特徴とするゲームシステム。
【請求項２】  請求項１において、
問題と、該問題を特定するためのコード情報と、を対応づけて記憶する手段を含み、
前記出題情報は、前記コード情報を含むことを特徴とするゲームシステム。
【請求項３】  クイズゲームを行うためのゲームシステムにおいて、
プレーヤに出題した問題に関する出題情報をプレーヤ側の情報記憶媒体に記憶させる手段と、
前記プレーヤ側の情報記憶媒体に記憶された前記出題情報を読み込む手段と、
読み込んだ前記出題情報に基づいて特定される前記プレーヤが正解した問題と同一の問題を繰り返し出題することを禁止する手段と、
を有することを特徴とするゲームシステム。
【請求項４】  請求項３において、
問題と、該問題を特定するためのコード情報と、を対応づけて記憶する手段と、
各問題をプレーヤが正解したか不正解したかを特定する判定結果情報を記憶する手段と、を含み、
前記出題情報は、前記コード情報及び前記判定結果情報を含むことを特徴とするゲームシステム。
【請求項５】  請求項１から請求項４までのいずれかにおいて、
前記プレーヤ側の情報記憶媒体は、前記プレーヤが携帯可能な外部情報記憶媒体であることを特徴とするゲームシステム。
【請求項６】  請求項１から請求項５までのいずれかにおいて、
前記出題情報は、問題の内容を特定するための情報と、該問題に対する解答を特定するための情報を含むことを特徴とするゲームシステム。
【請求項７】  ホスト装置からネットワークを介して接続されたゲーム端末にクイズゲームを行うための情報が提供され、該ゲーム端末にて前記クイズゲームがプレーされるゲームシステムであって、
前記ホスト装置は、
プレーヤに出題した問題に関する出題情報を前記ゲーム端末の情報記憶媒体に記憶させる手段と、
前記ゲーム端末の情報記憶媒体に記憶された前記出題情報を読み込む手段と、
読み込んだ前記出題情報に基づいて特定される問題と同一の問題を繰り返し出題することを禁止する手段と、
を有することを特徴とするゲームシステム。
【請求項８】  クイズゲームを行うための情報が記憶された情報記憶媒体において、
プレーヤに出題した問題に関する出題情報をプレーヤ側の情報記憶媒体に記憶させる手段と、
前記プレーヤ側の情報記憶媒体に記憶された前記出題情報を読み込む手段と、
読み込んだ前記出題情報に基づいて特定される問題と同一の問題を繰り返し出題することを禁止する手段としてコンピュータを機能させるためのプログラムを記憶することを特徴とする情報記憶媒体。
【請求項９】  請求項８において、
問題と、該問題を特定するためのコード情報と、を対応づけて記憶する手段を実現するためのプログラムを含み、
前記出題情報は、問題の内容を特定するためのコード情報を含むことを特徴とする情報記憶媒体。
【請求項１０】  クイズゲームを行うための情報が記憶された情報記憶媒体において、
プレーヤに出題した問題に関する出題情報をプレーヤ側の情報記憶媒体に記憶させる手段と、
前記プレーヤ側の情報記憶媒体に記憶された前記出題情報を読み込む手段と、
読み込んだ前記出題情報に基づいて特定される前記プレーヤが正解した問題と同一の問題を繰り返し出題することを禁止する手段としてコンピュータを機能させるためのプログラムを記憶することを特徴とする情報記憶媒体。
【請求項１１】  請求項１０において、
問題と、該問題を特定するためのコード情報と、を対応づけて記憶する手段と、
各問題をプレーヤが正解したか不正解したかを特定する判定結果情報を記憶する手段としてコンピュータを機能させるためのプログラムを含み、
前記出題情報は、問題の内容を特定するためのコード情報と、前記プレーヤが正解した問題及び不正解した問題を特定するための判定結果情報と、を含むことを特徴とする情報記憶媒体。
【請求項１２】  請求項８から請求項１１までのいずれかにおいて、
前記プレーヤ側の情報記憶媒体は、前記プレーヤが携帯可能な外部情報記憶媒体であることを特徴とする情報記憶媒体。
【請求項１３】  請求項８から請求項１２までのいずれかにおいて、
前記出題情報は、問題の内容を特定するための情報と、該問題の解答を特定するための情報と、を含むことを特徴とする情報記憶媒体。
【請求項１４】  ホスト装置からネットワークを介して接続されたゲーム端末にクイズゲームを行うための情報が提供され、該ゲーム端末にて前記クイズゲームがプレーされるゲームシステムを実現するための情報が記憶され、前記ホスト装置として接続されたコンピュータが読み取り可能な情報記憶媒体であって、
プレーヤに出題した問題に関する出題情報を前記ゲーム端末の情報記憶媒体に記憶させる手段と、
前記ゲーム端末の情報記憶媒体に記憶された前記出題情報を読み込む手段と、
読み込んだ前記出題情報に基づいて特定される問題と同一の問題を繰り返し出題することを禁止する手段としてコンピュータを機能させるためのプログラムを記憶することを特徴とする情報記憶媒体。
【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  競馬を模したレースゲームの映像を表示するメイン画像表示部を有するメイン遊戯実行装置と、遊戯者によって操作され、該メイン遊戯実行装置に接続されており且つサテライト画像表示装置をそれぞれ有する複数のサテライト遊戯装置とを備える遊戯システムであって、
前記メイン遊戯実行装置は、前記レースゲームとして、前記複数のサテライト遊戯装置のうち少なくとも一つのサテライト遊戯装置において前記遊戯者の操作によって選択された競走馬を含む複数の競走馬が参加するメインゲームを実行するものであり、
前記複数のサテライト遊戯装置のそれぞれは、競走馬の獲得、育成、及び調教を行う処理を含むサテライトゲームを実行するものであり、該サテライト遊戯装置を操作する遊戯者が、前記メインゲームに競走馬を参加させていない場合でも該サテライトゲームを実行可能であり、且つ、該サテライトゲームで得られた能力を有する競走馬を前記メインゲームに参加させるように選択可能なものである、
遊戯システム。
【請求項２】  前記複数のサテライト遊戯装置のそれぞれは、前記サテライトゲームとして、前記遊戯者が前記競走馬を新規に獲得し該競走馬の育成を行う処理を含むゲームを実行するものである、
請求項１記載の遊戯システム。
【請求項３】  前記複数のサテライト遊戯装置のそれぞれは、前記サテライトゲームとして、新規に獲得した競走馬及び既に所有している競走馬のいずれに対しても前記調教を行う処理を含むゲームを実行するものである、
請求項１記載の遊戯システム。
【請求項４】  前記サテライトゲームには、複数のゲームモードが用意されており、且つ、該複数のゲームモードのそれぞれに対して遊戯料金が設定されており、
前記サテライト遊戯装置のそれぞれは、前記遊戯者が、前記サテライト遊戯装置で選択される前記ゲームモードに対して設定されている遊戯料金を投入するためのコイン投入部を有する、
請求項１乃至３のいずれか１項記載の遊戯システム。
【請求項５】  前記メインゲームには、前記遊戯者の操作によって選択された競走馬の該メインゲームへの参加に対して課せられる料金が設定されており、
前記コイン投入部は、前記遊戯者が、前記参加に対して課せられる料金を投入するためのものでもある、
請求項４記載の遊戯システム。
【請求項６】  競馬を模したレースゲームの映像を表示するメイン画像表示部を有するメイン遊戯実行装置と、遊戯者によって操作され、該メイン遊戯実行装置に接続されており且つサテライト画像表示装置及びコイン投入部をそれぞれ有する複数のサテライト遊戯装置とを備える遊戯システムであって、
前記メイン遊戯実行装置は、前記レースゲームとして、前記複数のサテライト遊戯実行装置のうち少なくとも一つのサテライト遊戯実行装置からエントリした競走馬を含む複数の競走馬が参加するメインゲームの処理を実行する手段を有しており、
前記複数のサテライト遊戯装置のそれぞれは、前記遊戯者が所定の料金で競走馬の育成を行う処理を実行する競走馬育成手段と、該育成で得られた能力を有する競走馬を前記レースに参加させる処理を実行するレース参加手段と、を有する、
遊戯システム。
【請求項７】  前記複数のサテライト遊戯装置のそれぞれは、前記競走馬の仔馬を誕生させ、且つ、該仔馬を育成することにより新規な競走馬を獲得する処理を実行する仔馬育成手段を有する、
請求項７記載の遊戯システム。
【請求項８】  前記複数のサテライト遊戯装置のうち、前記メインゲームに前記競走馬を参加させていないサテライト遊戯装置に備わる前記競走馬育成手段は、前記メイン遊戯実行装置で前記メインゲームが実行されているときでも、前記競走馬の育成を行う処理を実行することが可能である、
請求項６又は７記載の遊戯システム。
【手続補正書】
【提出日】平成17年11月22日(2005.11.22)
【手続補正１】
【補正対象書類名】特許請求の範囲
【補正対象項目名】請求項１
【補正方法】変更
【補正の内容】
【請求項１】
ｎ型の窒化ガリウム系化合物半導体からなる基板の上に、窒化ガリウム系化合物半導体からなるｎ型クラッド層と活性層とｐ型クラッド層との積層構造が設けられ、前記基板に接続される電極を有する半導体発光素子であって、前記電極は、前記積層構造の表面側からその一部を除去させて露出された前記基板の表面に直接接して設けられており、前記基板の前記積層構造が設けられた面の反対側の面を主発光面としていることを特徴とする窒化ガリウム系化合物半導体発光素子。
【手続補正２】
【補正対象書類名】特許請求の範囲
【補正対象項目名】請求項２
【補正方法】変更
【補正の内容】
【請求項２】
前記ｎ型クラッド層は、その電子濃度が１×１０１６ｃｍ―３以上で１×１０１７ｃｍ―３未満であり、前記基板内で前記積層構造の水平方向に電流を拡散することを特徴とする請求項１記載の窒化ガリウム系化合物半導体発光素子。
【手続補正３】
【補正対象書類名】明細書
【補正対象項目名】００１５
【補正方法】変更
【補正の内容】
【００１５】
請求項１に記載の発明は、ｎ型の窒化ガリウム系化合物半導体からなる基板の上に窒化ガリウム系化合物半導体からなるｎ型クラッド層と活性層とｐ型クラッド層との積層構造が設けられ、前記基板に接続される電極を有する半導体発光素子であって、前記電極は、前記積層構造の表面側からその一部を除去させて露出された前記基板の表面に直接接して設けられており、前記基板の前記積層構造が設けられた面の反対側の面を主発光面としていることを特徴とするものであり、基板側を主発光面側とする場合に前記基板の前記電極が設けられている面以外の面には光遮蔽物を有していないので、発光素子直上での配光特性をほぼ均一なものとすることができるという作用を有する。
【手続補正４】
【補正対象書類名】明細書
【補正対象項目名】００１６
【補正方法】変更
【補正の内容】
【００１６】
請求項２に記載の発明は、請求項１に記載の発明において、前記ｎ型クラッド層は、その電子濃度が１×１０１６ｃｍ―３以上で１×１０１７ｃｍ―３未満であり、前記基板内で前記積層構造の水平方向に電流を拡散することを特徴とするものであり、ｎ側電極から基板へ注入された電子が基板とｎ型クラッド層との界面で広がりやすくなるという作用を有する。
【手続補正書】
【提出日】平成18年7月7日(2006.7.7)
【手続補正１】
【補正対象書類名】明細書
【補正対象項目名】００６９
【補正方法】変更
【補正の内容】
【００６９】
抽出部は、画像データ記憶部３に格納される画像データから第１マークを抽出して、第１マークの画像座標値を求める第１マーク抽出処理を行うもので、基準マーク推論部６６を用いて、従前の焦点距離で求めた校正用三次元フィールド７０の基準マーク位置情報を利用して、今回の焦点距離における第２の校正用画像に撮影された基準マークの位置関係を推論する。第１マーク抽出処理は、概略マーク位置測定部５による第２マークの概略位置算出と対応付けの前処理として行われる。この第１マークの画像座標値は、マーク座標記憶部７ａに記憶される。ここで、第１マークとは、広角用の粗位置合わせ基準マーク７３や望遠用の粗位置合わせ基準マーク７６をいう。また、第２マークは、広角用の精密位置合わせ基準マーク７４や望遠用の精密位置合わせ基準マーク７７をいう。抽出部４による基準マーク推論部６６を用いた第１マーク抽出処理の詳細は、後で説明する。
【手続補正２】
【補正対象書類名】明細書
【補正対象項目名】００９６
【補正方法】変更
【補正の内容】
【００９６】
図１８は、相互相関係数法による重複基準マーク抽出の一例を説明する図で、（Ａ）は従前の焦点距離による校正画像、（Ｂ）は今回の焦点距離による校正画像の場合を示している。相互相関係数による方法では、次式を用いた以下の手順による。    
【数２】
2005094048.tif 000001
３−＜ｉ＞：例えば、重複基準マーク抽出部６７で抽出された基準マークとなる点を中心とした、Ｎ１×Ｎ１画素の画像をテンプレート画像として従前の焦点距離による校正画像から切出す。そして、従前の焦点距離と今回の焦点距離から、テンプレート画像の寸法をＮ２×Ｎ２画素の画像に変換する。図１８（Ｂ）は切出されたテンプレート画像と変換後のテンプレート画像の一例を示す図である。
３−＜ｉｉ＞：テンプレート画像より大きい今回の焦点距離による校正画像中のＭ２×Ｍ２画素を探索範囲（Ｍ２−Ｎ２＋１）２として、探索範囲上でテンプレート画像を動かす。
３−＜ｉｉｉ＞：上式の相互相関係数Ｃ(a,b)が最大になるような画像位置を求めて、テンプレート画像に対し探索されたとみなす。完全に従前の焦点距離による校正画像と今回の焦点距離による校正画像が一致していれば、相互相関係数値Ｃ(a,b)が1.0となる。
３−＜ｉｖ＞：今回の焦点距離による校正画像において、従前の焦点距離による校正画像に撮影されていない基準マークが存在するときは、追加基準マーク位置情報抽出部６８により処理する。
【手続補正３】
【補正対象書類名】図面
【補正対象項目名】図１８
【補正方法】変更
【補正の内容】
【図１８】
2005094048.tif 000002
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
真空遮断器と、母線断路器及びライン断路器と、それらを収納する密封容器とを備え、前記密封容器内に絶縁ガスが封入されると共に、少なくとも前記母線断路器が収納される密封容器と前記真空遮断器が収納される密封容器はガス区画されて成るガス絶縁開閉装置において、
前記絶縁ガスは、Ｎ２と地球温暖化係数が１以下のガスを含む混合ガスであって、該混合ガスの定格ガス圧または最低保障ガス圧を０．２〜０．８ＭＰａ・ａｂｓとしたことを特徴とするガス絶縁開閉装置。
【請求項２】
請求項１において、前記真空遮断器が収納されている密封容器のガス圧を、少なくとも前記母線断路器が収納されている密封容器のガス圧より低くしたことを特徴とするガス絶縁開閉装置。
【請求項３】
請求項１又は２において、前記地球温暖化係数が１以下のガスはＯ２であることを特徴とするガス絶縁開閉装置。
【請求項４】
請求項１−３のいずれかにおいて、前記真空遮断器の長手方向と該真空遮断器を収納する密封容器の長手方向は、重力の向きに平行に配置されていることを特徴とするガス絶縁開閉装置。
【請求項５】
請求項１−４のいずれかにおいて、前記密封容器は円筒型又は箱型であることを特徴とするガス絶縁開閉装置。
【請求項６】
請求項１−５のいずれかにおいて、前記混合ガスにＯ２を含み、該Ｏ２の分圧比が５〜６０％であることを特徴とするガス絶縁開閉装置。
【請求項７】
請求項１−６のいずれかにおいて、前記混合ガスは乾燥空気であることを特徴とするガス絶縁開閉装置。
【請求項８】
請求項１−７のいずれかにおいて、前記混合ガスは、臭いの付いた臭いガスであることを特徴とするガス絶縁開閉装置。
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
固定子コアの内周面に回転磁界形成用の固定子コイルを装着してなる固定子と、前記固定子と磁気的空隙を介して対向配置されると共にシャフトの外周に円弧状の永久磁石を複数個設けてなる回転子と、を備えたマイクロサーボモータにおいて、
前記回転子は、前記永久磁石の軸方向端面と前記シャフトの外周面の間に樹脂材料を充填して成形された傾斜した側壁を有する成形樹脂部材を配置したことを特徴とするマイクロサーボモータ用回転子。
【請求項２】
前記シャフトの成形樹脂部材との対向面に溝部を設けたことを特徴とする請求項１記載のマイクロサーボモータ用回転子。
【請求項３】
前記成形樹脂部材は前記永久磁石のエッジ部もしくは、前記永久磁石の外周面を完全に被うようにすることを特徴とする請求項１記載のマイクロサーボモータ用回転子。
【請求項４】
前記樹脂材料は、エポキシ系の樹脂材料であることを特徴とする請求項１記載のマイクロサーボモータ用回転子。
【請求項５】
前記シャフトは段差部を有すると共に、前記永久磁石は、前記シャフト上の段差部にて軸方向の位置決めがなされていることを特徴とする請求項１または２に記載のマイクロサーボモータ用回転子。
【請求項６】
前記シャフトの段差部の外径を前記永久磁石の外径より小さくしたことを特徴とする請求項５記載のマイクロサーボモータ用回転子。
【請求項７】
請求項１〜６の何れか１項に記載の回転子を備えたことを特徴とするマイクロサーボモータ。
【手続補正２】
【補正対象書類名】明細書
【補正対象項目名】発明の名称
【補正方法】変更
【補正の内容】
【発明の名称】マイクロサーボモータ用回転子およびこの回転子を備えたマイクロサーポモータ
【手続補正３】
【補正対象書類名】明細書
【補正対象項目名】０００１
【補正方法】変更
【補正の内容】
【０００１】
本発明は、ＦＡ機器や精密機械等に使用されるマイクロサーボモータ用回転子およびこの回転子を備えたマイクロサーポモータに関する。
に関する。
【手続補正４】
【補正対象書類名】明細書
【補正対象項目名】０００３
【補正方法】変更
【補正の内容】
【０００３】
しかしながら、マイクロサーボモータは高速回転で使用することが多く、従来のマイクロサーボモータの回転子は、永久磁石に金属のプレートを装着している為、質量の増加による効率の低下という問題があった。また、プレート１３がシャフト１１に対して偏芯した状態で取り付けられた場合は、アンバランスの増加というような問題も抱えていた。
さらに、プレート１３と段差部１１ａの外径は、永久磁石１２をシャフト１１に接着した後の状態で研削加工により同径に仕上げる際、永久磁石１２とプレート１３間のエッジ部分Ｅ、永久磁石１２と段差部１１ａ間のエッジ部分Ｅで欠けや割れが発生し、強度上の問題によりアンバランスの増加の原因となっていた。
本発明は上記問題を解決するためになされたものであり、回転子を軽量化するとともに、アンバランスを低減することができるマイクロサーボモータ用回転子およびこの回転子を備えたマイクロサーポモータを提供することを目的とする。
【手続補正５】
【補正対象書類名】明細書
【補正対象項目名】０００４
【補正方法】変更
【補正の内容】
【０００４】
上記問題を解決するため、請求項１の発明は、固定子コアの内周面に回転磁界形成用の固定子コイルを装着してなる固定子と、前記固定子と磁気的空隙を介して対向配置されると共にシャフトの外周に円弧状の永久磁石を複数個設けてなる回転子と、を備えたマイクロサーボモータにおいて、前記回転子は、前記永久磁石の軸方向端面と前記シャフトの外周面の間に樹脂材料を充填して成形された傾斜した側壁を有する成形樹脂部材を配置したことを特徴としている。
また、請求項２の発明は、請求項１に記載のマイクロサーボモータ用回転子において、前記シャフトの成形樹脂部材との対向面に溝部を設けたことを特徴としている。
また、請求項３の発明は、請求項１に記載のマイクロサーボモータ用回転子において、前記成形樹脂部材は前記永久磁石のエッジ部もしくは、前記永久磁石の外周面を完全に被うようにすることを特徴としている。
また、請求項４の発明は、請求項１記載のマイクロサーボモータ用回転子において、前記樹脂材料は、エポキシ系の樹脂材料であることを特徴としている。
また、請求項５の発明は、請求項１または２に記載のマイクロサーボモータ用回転子において、前記シャフトは段差部を有すると共に、前記永久磁石は、前記シャフト上の段差部にて軸方向の位置決めがなされていることを特徴としている。
また、請求項６の発明は、請求項５記載のマイクロサーボモータ用回転子において、前記シャフトの段差部の外径を前記永久磁石の外径より小さくしたことを特徴としている。
また、請求項７の発明は、請求項１〜６の何れか１項に記載の回転子を備えたことを特徴とするマイクロサーボモータを構成している。